(57)【要約】【課題】堆肥造成施設のコンクリート床に高く堆積せしめて造成している堆肥の熟成のための切返し作業や、圃場に堆肥を散布するための堆肥の取り出し作業が、堆肥に対し機体の一度の進入で効率的に行える堆肥切返し装置を、安価に、かつ、汎用性を持たせたものとして構成し得る。【解決手段】除雪機の形態に組立てた機体ａに対し、それの前面側でオーガー４の上方に位置する部位に、駆動により前面側が堆肥を掻き落とすよう上方から下方に回動する掻き落とし装置８を、オーガー４と略同じ作用巾に形成しそのオーガー４と平行して前方に突出するよう配位し、機体フレーム３に昇降作動するよう装設せる支持フレーム９０に支持せしめて機体ａに装架せしめる。【選択図】        図９
2004352585.tif 000002
【特許請求の範囲】
【請求項１】
機体フレーム３の前面側の下方に寄せた部位に、回転軸心線を左右方向としたオーガー４を装架し、そのオーガー４の後面側に左右方向に沿うガイド壁６を設けて、それの一部に後方に透通する送出口６０を開設し、そのガイド壁６の後方に、前記送出口６０から送り込まれる堆肥等を、ケーシング７０内に受入れ、そのケーシング７０内で回転する跳上翼７２により吐出筒部７４およびそれに接続する放出シュート７５から放出するブロワー装置７を装架して、除雪機の形態の機体ａに組立て、その機体ａに対し、それの前面側でオーガー４の上方に位置する部位に、駆動により前面側が堆肥を掻き落とすよう上方から下方に回動する掻き落とし装置８を、オーガー４と略同じ作用巾に形成しそのオーガー４と平行して前方に突出するよう配位し、機体フレーム３に昇降作動するよう装設せる支持フレーム９０に支持せしめて機体ａに装架せしめてなる堆肥切返し装置。
【請求項２】
掻き落とし装置８を、それの前縁が、オーガー４の前縁に対し機体フレーム３の前面側に引込む凹となる位置とオーガー４の前縁より前方に突出する位置との間において自在に変更し得るよう機体ａに装架せしめたことを特徴とする請求項１記載の堆肥切返し装置。
【請求項３】
掻き落とし装置８を支持して該掻き落とし装置８を機体ａに装架せしめる左右の支持フレーム９０間に、堆肥の壁面から崩落してくる堆肥を受け止めて支承する棧Ｓを渡架装設することを特徴とする請求項１記載の堆肥切返し装置。
【請求項４】
ブロワー装置７の吐出筒７４の上端に接続して設ける放出シュート７５を、周面に開放部位の無い円筒形のパイプ状に成形して、放出する堆肥を該放出シュート７５の筒先の放出口からの放出に局限することを特徴とする請求項１記載の堆肥切返し装置。
【発明の詳細な説明】
【０００１】
【発明が属する技術分野】
本発明は、屋根付きの堆肥造成施設に堆積する厩肥等の堆肥材料を、堆肥に熟成させるために行う切返し作業に用いる堆肥切返し装置に関する。
【０００２】
【従来の技術】
堆肥の作成は、従前にあっては、厩肥等の堆肥材料を、野積みするか、または素掘りの溝穴に投入して堆積し、醗酵させて堆肥に熟成させることで行われていたが、家畜排泄物処理法が平成１１年１１月１日施行されて、家畜排泄物の、野積み、素掘り等の不適切な管理による汚水の河川への流入・地下水への浸透によってもたらされる汚染を防止するための管理基準が示されてからは、屋根付きコンクリート床とした堆肥造成施設において行われるようになってきている。
【０００３】
堆肥の造成には、堆積した堆肥を一様に熟成させるために、その堆積した堆肥を何度か、上下に入れ換えて積みかえる切返しの作業が必要である。
【０００４】
この切返し作業は、堆肥材料を野積み、または素掘りの穴に投入して堆肥に造成している場合には、堆積した場所の隣に積みかえていくことで行えたが、屋根付きコンクリート床とした堆肥造成施設においては、例えば図１に示しているように、左右の仕切壁１０…と突き当たりの隔壁１１とで囲われる堆肥の堆積場所１…が並列する施設をコンクリートで構築し、その並列する堆積場所１…のそれぞれに順次堆肥材料を積み込むようにするが、一つの堆積場所１は空けておく。
【０００５】
そして、この施設による堆肥の造成中に行う切返しの作業は、空けておいた堆積場所１に、それの隣の堆積場所に積んだ堆肥を崩して積みかえるように移しかえていき、それにより新しく空いた堆積場所に、それの次位に隣接する堆積場所１に堆積してある堆肥を積みかえていくようにすることで行うようにしている。
【０００６】
この積み換えによる切返し作業は、通常は、ホークを用いた人力により行われるが、施設に、この切返し作業のための専用の切返し装置を装備せしめておいて、それにより行われる場合や、農家が所有している除雪機を利用して行われる場合もある。
【０００７】
【発明が解決しようとする課題】
屋根付きで、コンクリート床に構築した堆肥造成施設において、造成する堆肥を熟成させるために行う切返し作業に用いる切返し装置は、施設に装備せしめておく形態のものにあっては、高価な専用装置となる問題がある。
【０００８】
また、既存の除雪機を利用する手段は、その除雪機Ｗは、通常、図２乃至図６にあるような構成のものに作られている。これらの図面について具体的に説明すると、トラクタＴの車体に装備されている三点リンクヒッチに、ロワリンク２０とトップリンク２１を介して装着される枠組みした機体フレーム３を構成し、その機体フレーム３の前面側の下部には、左右方向に長いドラム４０の周面の軸方向の一半側と他半側とに送り方向をそれぞれ逆方向とした右オーガー４１と左オーガー４２とを装着して、回転により積雪を掻き取って左右の中央部位に掻き寄せるオーガー４を配位し、それの回転軸４３の左右の軸端部を機体フレーム３に軸架し、その回転軸４３の一方の軸端部を、機体フレーム３の後面側に装架せる伝導機構部５の出力軸５０に、チェンケース４４内に収蔵せる伝導チェン４５を介し伝導し、伝導機構部５の入力軸５１を、トラクタＴの車体後部に設けてあるＰＴＯ軸２２にユニバーサルジョイント軸２３を介し伝導して、トラクタＴ側から伝導機構部５に伝えられる回転動力によりこのオーガー４を回転軸４３中心に上周面側が前面側を経て下方に回動して積雪を掻き込む方向に回転させる。
【０００９】
ドラム４０の周面に装設してある右オーガー４１・左オーガー４２は、この回転により、それぞれドラム４０の軸方向の中心部位に向け掻き込んだ積雪を搬送していくように螺旋の送り方向を設定してある。
【００１０】
このオーガー４の後面側には、図６にあるように、側面視において、オーガー４の右オーガー４１・左オーガー４２の外縁の回動軌跡に沿う弧状をなす形状に成形したガイド壁６が、図３および図４にあるようにオーガー４の左右の略全巾に渡るように配位して、機体フレーム３に支架してあり、それの左右の中央部位に寄せた部位には、該ガイド壁６の前面に掻き込まれて左右方向の中央部位に集められてくる積雪を該ガイド壁６の後方に送り出す送出口６０が開設してある。
【００１１】
また、このガイド壁６の後面側で、機体フレーム３の後面側の左右の中央部位には、大径のドラム状に形成したブロワー装置７のケーシング７０が、それの軸線方向を前後方向として配設されて機体フレーム３に支架され、それの内部には、前述の伝導機構部５から突出する回転軸７１と、それに放射状に突出するように設けた跳出翼７２…とからなる跳揚機構（または吹上機構）７３が収蔵され、かつ、該ケーシング７０の前面側の機壁に開設せる開放口を、前述のガイド壁６に開設した送出口６０に接続連通して、オーガー４によりガイド壁６の前面に掻き込まれて中央部に集められる積雪を受け入れて、跳出翼７２…により、ケーシング７０の周壁部に設けた吐出筒部７４から放出するようにしてある。
【００１２】
そして、ケーシング７０の吐出筒部７４の上端部には、放出シュート７５の基端部が、上下方向の軸線をもって自在に回動するよう接続し、そのシュート７５の基端の接続鍔部７６を、ケーシング７０の上面側に配位して機体フレーム３に装架する電動のアクチュエータｂの作動により、所望の角度量の回動が行えるようにして、これにより放出シュート７５の放出方向を所望の方向に変更調整し得るようにし、さらに、放出シュート７５の筒先に装着するディフレタ７７を、電動のアクチュエータｃにより所望の屈曲角度に調整し得るようにしてあり、これらにより、組み立てられる除雪機Ｗを、トラクタＴに連結装着して、そのトラクタＴのＰＴＯ軸２２から回転動力を伝導機構部５に入力し、オーガー４を駆動回転させた状態として、その除雪機Ｗの機体ａをトラクタＴの運転により積雪に対し進入させていくことで、除雪作業を行うようにしている。
【００１３】
この除雪機Ｗを利用して行う堆肥の切返し手段は、上述の如く構成してある除雪機Ｗを、積雪にかえて、堆肥にオーガー４を作用させれば、堆肥がオーガー４により掻き取られて、吹上げブロワー装置７に送り込まれ、放出シュート７５から放出されるようになることから、これにより堆肥の切返し作業を行うという手段である。
【００１４】
しかし、この除雪機を利用する堆肥の切返し手段には、機体フレーム３の前面の下部に横架軸支するオーガー４の有効径以上の高さに堆肥材料を堆積させている堆肥に対しては、オーガー４が堆積している堆肥の中に突入していく状態となって、機体フレーム３の前面側が堆肥につかえるようになることで、作業を進行させ得ないことから、堆肥を上下に分けて上層側から順次機体フレーム３を進入させなければならず、能率的な切返し作業が行い得ない問題がある。
【００１５】
本発明は、上述の従前の堆肥の切返し作業に生じている問題を解決するためになされたものであって、堆肥造成施設のコンクリート床に高く堆積せしめて造成している堆肥の熟成のための切返し作業や、圃場に堆肥を散布するための堆肥の取り出し作業が、堆肥に対し機体の一度の進入で効率的に行える堆肥切返し装置を、安価に、かつ、除雪機として利用できるよう汎用性を持たせたものとして構成し得る新たな手段を提供することを目的とする。
【００１６】
【課題を解決するための手段】
本発明は、上述の目的を達成するために、農家が既得して、簡易的に堆肥の切返し作業に利用している除雪機について種々の検討と試行錯誤を繰り返して得られた知見に基づいてなされたものである。
【００１７】
除雪機Ｗを利用して行う堆肥の切返し作業は、図７にあるように、堆肥Ｍがオーガー４の有効径に対して遙かに高く堆積させてある場合には、トラクタＴの運転により除雪機Ｗを堆肥Ｍに対し進入させて、堆肥Ｍを除雪機Ｗのオーガー４により掻き取らせるときに、オーガー４を地表面に沿わせて堆肥Ｍに対し進入させて堆肥を掻き取らせていくと、オーガー４が堆肥Ｍの中に突入して埋没する状態となり、オーガー４より上方の除雪機Ｗの機体の前面が堆積している堆肥Ｍの壁面につかえて進入させ得ないようになる。そして、この状態のとき、オーガー４の上方に位置している堆肥が崩れ落ちると、オーガー４に一度に多量の堆肥が供給され過負荷状態となって、オーガー４の回転がストップするようになる。これらのことから、除雪機Ｗを利用する堆肥の切返し作業には、種々の制約・限界がある。
【００１８】
ところで、この除雪機Ｗの機体フレーム３に、それの前面側でオーガー４の上方に、そのオーガー４と略同じ作用巾の掻き取り装置８をそのオーガー４と平行して前方に突出するよう配位して、機体フレーム３に昇降作動するよう設けたフレーム９０に支持せしめて、機体フレーム３に昇降自在に装架し、この掻き落とし装置８の回転軸８２を機体フレーム３に装備してある伝導機構部５に伝導機構８３・８４を介し伝導して、オーガー４と同方向に回動するように駆動するようにしておいたところ、図８にあるように、この掻き落とし装置８が、堆肥の掻き取り作動を行いながら昇降することで、高く堆積している堆肥の壁面を削る落とすように掻き取って下方のオーガー４に向けて掻き落とすようになることにより、高く堆積して造成している堆肥の切返し作業が除雪機Ｗを利用して行い得るようになる、という結果が得られた。
【００１９】
そして、このように、掻き取り装置８を除雪機Ｗの機体フレーム３に装備せしめ構成する堆肥切返し装置は、除雪作業にもそのまま適応させ得、汎用性を損なわないものとなった。
【００２０】
このことから、本発明においては、請求項１に記載したように、機体フレーム３の前面側の下方に寄せた部位に、回転軸心線を左右方向としたオーガー４を装架し、そのオーガー４の後面側に左右方向に沿うガイド壁６を設けて、それの一部に後方に透通する送出口６０を開設し、そのガイド壁６の後方に、前記送出口６０から送り出される堆肥等をその送出口６０と連通するケーシング７０内に受け入れそのケーシング７０内で回転する跳上翼７２により吐出筒部７４およびそれに接続する放出シュート７５  から放出するブロワー装置７を装架して除雪機の形態に構成した機体ａに対し、それの前面側でオーガー４の上方に位置する部位に、駆動により前面側が堆肥を掻き落とすよう上方から下方に回動する掻き落とし装置８を、オーガー４と略同じ作用巾に形成しそのオーガー４と平行して前方に突出するよう配位し、機体フレーム３に昇降作動するよう設けたフレーム９０に支持せしめて機体ａに装架せしめてなる堆肥の切返し装置を提起するものである。
【００２１】
【発明の実施の形態】
次に本発明の実施の態様を、図面に随い実施例について説明する。
図９乃至図１３は本発明手段を実施せる堆肥切返し装置の側面図と前面図と平面図と後面図および一部破断した側面図で、これら図において、３は機体フレーム、４はその機体フレーム３の前面側の下部に配位して機体フレーム３に装架したオーガー、６はそのオーガー４の後方に配位してオーガー４の後面側を囲うよう機体フレーム３に装架したガイド壁、７はそのガイド壁６の後方に配位して機体フレーム３の後面側に装架したブロワー装置、８は前記オーガー４の上方に配位して機体フレーム３の前面側に装架せる堆肥掻き落とし装置、９はその堆肥掻き落とし装置８を支持して該装置８を昇降させる昇降機構を示す。
【００２２】
機体フレーム３は、図示するこの実施例においては、トラクタＴの車体の後面側に装備されている連結ヒッチに、ロワーリンク２０およびトップリンク２１を介して昇降自在に連結装着するトラクタ装着型のものに構成してあるが、走行輪およびエンジンを装備せしめて自走して走行する形態のものとしてもよく、適宜の形状に構成してよい。
【００２３】
オーガー４は、軸方向に長いドラム４０の周面より放射状に突出する複数のスポークで帯状の螺旋翼を支持せしめてなる右オーガー４１と左オーガー４２とをドラム４０の中央部で連結して装設して構成する従前の除雪機に装備されている通常のオーガーであり、ドラム４０の周面に設ける右オーガー４１・左オーガー４２は、ドラム４０の軸方向において左右に２分し、ドラム４０の左半側と右半側とに、それぞれ送り方向が逆向となるように装着して、オーガー４の回転作動により、掻き込む堆肥を左右の中央部に向け寄せ集めるようにしてある。
【００２４】
該オーガー４は、それの回転軸４３の左右の軸端部を、機体フレーム３に軸支して回転自在に軸架し、その回転軸４３の一方の軸端部を、機体フレーム３の左右の一側に設けるチェンケース４４内の伝導機構４５を介して、機体フレーム３の後面側の中央部位に装架してある伝導機構部５の出力軸５０に伝導させて、その伝導機構部５の入力軸５１に、トラクタＴのＰＴＯ軸２２からユニバーサルジョイント軸２３を介して伝導される回転動力により駆動回転するようにしてあり、かつ、このときのオーガー４の回転方向が、図９において細線の矢印イにより示しているよう前面側が上方から下方に回動する方向となるように設定してある。
【００２５】
このオーガー４の後面側には、図１３にあるように、前面側をオーガー４の外周縁の回動軌跡に略対応する形状としたガイド壁６が、図１０および図１１にあるようにオーガー４の左右の巾と略同巾に形成されて、オーガー４の後面側の略全域を囲うように装設され、それの左右の略中心部位には、オーガー４により掻き込まれて中央部位に集められた堆肥をガイド壁６の後方に送り出す送出口６０が後述するブロワー装置７のケーシング７０の前面側の開放口と対応する形状に形成して開設してある。
【００２６】
前記ガイド壁６の後方に配位して機体フレーム３の後面側に装設するブロワー装置７は、軸方向の巾を直径に対して狭くしたドラム状に形成したケーシング７０と、そのケーシング７０の軸心部位において回転する回転軸７１とその回転軸７１から放射方向に突出する跳出翼７２とで構成してケーシング７０内に収蔵せしめる跳揚機構（または吹上機構）７３と、ケーシング７０の前面側の機壁にガイド壁６の送出口６０と連通するよう開設しておく開放口と、ケーシング７０の周壁部に装設しておく吐出筒部７４とで構成して、送出口６０から送り込まれる堆肥等を、跳揚機構７３により吹き上げるように跳ね上げて、吐出筒部７４から外部に吐出するようにする通常のブロワー装置であり、それのドラム状のケーシング７０の軸心線が前後方向となる姿勢として、機体フレーム３の後面側の左右の中央部位に位置せしめ、ケーシング７０の前面側の機壁に開設した開放口が、前述のガイド壁６の左右の中心部位に開設してある送出口６０と接続する状態として機体フレーム３に装架してある。
【００２７】
ケーシング７０内に収蔵せしめる跳揚機構７３の回転軸７１は、前述の伝導機構部５内に組み込み収蔵されている伝導機構に対し接続伝導させてあって、これにより、伝導機構部５の入力軸５１にトラクタＴのＰＴＯ軸２２から回転動力が伝導されることで駆動回転して、送出口６０から受け入れる堆肥等を跳揚機構７３により吐出筒部７４から吐出し、その吐出筒部７４の上口に接続鍔部７６により接続しておく放出シュート７５を介して外部に放出するようにしてある。
【００２８】
この吐出筒部７４の上口に接続鍔部７６を介して接続する放出シュート７５は、図２乃至図６に示している従前の除雪機Ｗの放出シュート７５にあっては、弧状に彎曲する形状のシュートの主体部を、鉄板の折り曲げ成形により、それの内周側が開放する横断面においてチャンネル状に成形して、吹き上げる雪が広い範囲に放出されるようにしてあるが、この堆肥切返し装置Ａにおける放出シュート７５にあっては、それの主体部を周面には開放口のないパイプ状に形成してあって、この放出シュート７５内に吹き上げられる堆肥を、筒先だけから放出するようにしてあり、これにより、放出シュート７５を介し放出する堆肥を、所望の放出位置に集中して放出するようにしている。
【００２９】
この放出シュート７５は、それの基端部に設けた接続鍔部７６を、ケーシング７０の周壁部に設けた吐出筒部７４の先端部に付設せる接続鍔部に、軸心線中心とする旋回が自在に接合して連結し、接続鍔部７６に、ケーシング７０の上面側に配位して機体フレーム３に装架した電動モータにより作動する駆動ギヤ等のアクチュエータｂを連繋することで、その電動モータの作動により、所望の角度量の旋回作動を行って、放出シュート７５からの堆肥の放出方向を所望に変更調整してあり、さらに、放出シュート７５の筒先に設けるディフレクタ７７には、それの放出シュート７５に対する屈曲角度を、電動モータにより作動して所望の角度に変更調節するアクチュエータｃが連繋してあって、その電動モータの制御により吹き出す堆肥の放てき位置の調整が自在に行えるようにしてある。また、この放出シュート７５は前述の接続鍔部７６と吐出筒部７４の先端の取付鍔部との接合連結による連結が、着脱自在にしてあって、図１４乃至図１６にあるように高さの高い放出シュート７５との交換装着が可能としている。
【００３０】
オーガー４の上方で機体フレーム３の前面側に装備せしめる掻き落とし装置８は、図示する実施例においては、オーガー４の有効径よりも少し小径でオーガー４と略同じ巾に形成した筒体８０の周面に、突起状の多数の掻き落とし歯８１…を植設して、その筒体８０を回転軸８２の駆動により回転させることにより筒体８０の周面の多数の掻き落とし歯８１によって堆積している堆肥の壁面を削り落とすように構成してあり、それの筒体８０の回転軸８２の左右の軸端部を、機体フレーム３の左右の両側部に装架せる支持板状の支持フレーム９０の突出部側に軸支することで、図９および図１１にあるように、オーガー４よりも前方に突出した位置においてそのオーガー４と平行するように装設してある。
【００３１】
そして、回転軸８２の一方の軸端側を、伝導機構８３・８４を介して、前述の伝導機構部５の出力軸５０に伝導させることで、その伝導機構部５から伝えられる回転動力により、図９において矢印ロに示すようにオーガー４と同方向に回転するようにしている。このとき、筒体８０と共に回転する筒体８０の周面に植設した多数の掻き落とし歯８１…は、筒体８０の周面に接触してくる堆肥を、筒体８０の回転により筒体８０の軸方向に移送するよう筒体８０の回転方向に対し傾斜させて植設してあり、かつ、その傾斜方向が、筒体８０の左半側に植設する掻き落とし歯８１…とにおいて、それぞれ逆向に設定してあって、これにより掻き落とし歯８１…により掻き落とす堆肥を筒体８０の軸方向の中央部位に向けて移送するようにしてある。
【００３２】
この掻き落とし装置８は図示する実施例では、駆動回転する筒体８０の周面に多数の掻き落とし歯８１を植設することで構成しているが、筒体８０をエンドレスに回動するベルトまたは多連に並列するチェンに換え、それらの周面に掻き落とし歯８１を植設することで構成するようにしてもよい。
【００３３】
掻き落とし装置８を支持する支持フレーム９０は、この例においては、それの基端側を機体フレーム３に支点軸Ｐにより軸着連結して、その支点軸Ｐ中心に該支持フレーム９０の先端側が昇降回動するように機体フレーム３に対し支架し、それの基端側の支点軸Ｐを越した部位と機体フレーム３との間に、油圧により伸縮作動するシリンダ装置９１または電動モータにより回転する雌ネジとそれに螺合するネジ棒よりなる伸縮機構を渡架装設して、このシリンダ装置９１または伸縮機構の作動を該支持フレーム９０が支点軸Ｐ中心に回動して掻き落とし装置８を昇降させる昇降機構９を構成するようにしている。
【００３４】
この掻き落とし装置８を昇降させる昇降機構９は、掻き落とし装置８を昇降させ得るようになればよく、例えば、支持フレーム９０を上下にスライドするよう機体フレーム３に支架して、それにシリンダ装置９１または伸縮機構を連繋して構成するなど適宜に構成してよい。
【００３５】
また、掻き落とし装置８は、堆肥切返し装置Ａの機体ａを堆肥に対し前進させて、オーガー４により堆肥を掻き取らせて切返し作業を行う際、堆肥がオーガー４の有効径よりも高く堆積させてある場合に、その堆肥の壁面を図７にあるように、該掻き落とし装置８により削り取るように掻き落としてオーガー４に供給することで、オーガー４が堆肥の中に突入して過負荷状態となるのを防ぐためのものであり、そのため、オーガー４よりも前方に突出した位置を占めるように機体フレーム３に装架せしめる。
【００３６】
このことから、図１にあるようにコンクリートにより構築された堆肥造成施設の堆積場所１に堆肥材料を積み上げて堆肥造成を行っている場合の堆肥の切返し作業においては、作業が進行して、堆積場所１の奥の隔壁１１の近くに機体ａが進んだときに、この掻き落とし装置８の前端側が、堆積場所１の奥の隔壁１１につかえることで、オーガー４による堆肥の掻き込みを、堆積場所１の奥に堆肥を残した状態でストップさせなければならないようになる。
【００３７】
このとき、支持フレーム９０を支点軸Ｐ中心に上方に回動させて、掻き落とし装置８が、図９において鎖線に示しているように、オーガー４の前縁に対して機体フレーム３の前面側に引き込んだ凹の位置を占める状態に変更可能としておけば、上述の堆積場所１においての切返し作業の際に、図１７にあるよう掻き落とし装置８による堆肥の掻き落としで、堆肥の残量が少なくなって、掻き落とし装置８の前端側が隔壁１１に突き当たるようになったときに、図１８の状態に変更させることで、残りの堆肥をオーガー４により突き当たりの隔壁１１の壁際まで支障なく掻き取れるようになり、切返しのための積み換えし作業の際に堆積場所１に残す堆肥を極く少なくし得るようになる。
【００３８】
また、高く堆肥材料を堆積して造成している堆肥を、掻き落とし装置８によりその堆積した堆肥の壁面から掻き落としながらオーガー４による掻き込みで切返し作業を行っているとき、掻き込み装置８を支持さす支持フレーム９０を図示する実施例のように支点軸Ｐ中心に上下に回動させて昇降させるようにした場合にあっては、堆積した堆肥の壁面が、図１９にあるように支持フレーム９０の回動軌跡に倣う弧面に削られることで、堆肥の壁面の上部側が庇状に残り、この庇状の部分ｙが一度に崩落してきて、オーガー４を埋没させ、オーガー４の回転を過負荷状態として、回転をストップさせる事態を起こすようになる。
【００３９】
機体フレーム３に左右に一対に対向するように設けた支持フレーム９０・９０間に、前後に並列させて渡架している棧Ｓは、このように堆肥の壁面に形成された庇部分ｙが一度に崩落してきたときに、その崩落してくる部分ｙの堆肥を、オーガー４の上方において一たん受けとめ、これを掻き落とし装置８の回転作動で、オーガー４に対し均して供給するように作用させるものであり、これにより、一時に多量の堆肥がオーガー４に供給されることで生ずるオーガー４の過負荷によりシェアーピン等の過負荷装置が作動して作業の中断を余儀なくする事態を防止し、連続して作業し得るようにする。
【００４０】
このように構成する本発明手段による堆肥切返し装置は、堆肥の切返し作業が、その堆肥がオーガー４の有効径以上に高く堆積している場合においても、堆肥に対し機体の一度の進入で効率よく行えるようになる。
【００４１】
また、堆肥を圃場に散布するために、堆肥を取り出してトラック等の運搬車の荷台または堆肥散布車の荷台に積み込む作業にも、放出シュート７５の筒先から放出される堆肥が運搬車の荷台、または堆肥散布車の荷台に投入されていくようにするだけで、そのままの態様で利用できるようになる。
【００４２】
しかも、この堆肥切返し装置は、従来の除雪機の機体をベースとして、これに掻き落とし装置８とそれの昇降機構９を組付けることで構成し得ることから、除雪機の機能を損なわずに、また、除雪機の機能を具備する形態のものとして構成でき、汎用性のあるものとなり、かつ、価格の低減も得られる。
【００４３】
【発明の効果】
以上説明したように、本発明手段による堆肥切返し装置は、堆肥造成施設のコンクリート床上に高く堆積せしめて造成している堆肥に対し行なう熟成のための切返し作業や、圃場に堆肥を散布するための堆肥の取出作業が、堆肥に対し機体の一度の進入で効率的に行えるようになる。しかも、安価に、かつ、汎用性を持たせるものとして構成し得るようになる。
【図面の簡単な説明】
【図１】堆肥造成施設の横断平面図である。
【図２】従前のトラクタ連結型の除雪機の側面図である。
【図３】同上の後面図である。
【図４】同上の平面図である。
【図５】同上の前面図である。
【図６】同上の一部破断した側面図である。
【図７】同上の除雪機を高く堆積せしめて造成している堆肥に進入させて切返し作業を行わすときの作用の説明図である。
【図８】同上の除雪機をベースとして構成した本発明手段による堆肥切返し装置の説明図である。
【図９】本発明手段による堆肥切返し装置の側面図である。
【図１０】同上の後面図である。
【図１１】同上の平面図である。
【図１２】同上の前面図である。
【図１３】同上の一部破断した側面図である。
【図１４】同上の放出シュートを揚程の高いものに交換して装着した実施例の側面図である。
【図１５】同上の実施例の後面図である。
【図１６】同上の実施例の平面図である。
【図１７】同上堆肥切返し装置の堆肥造成施設の堆積場所に堆積している堆肥に対し作用させた切返し作業の説明図である。
【図１８】同上堆肥切返し装置の、堆積場所の壁際の堆肥をオーガーにより掻き取る作業時の説明図である。
【図１９】同上堆肥切返し装置により高く堆積している堆肥の切返し作業において、堆肥が崩落してきた状態時の説明図である。
【符号の説明】
Ａ…堆肥切返し装置、Ｔ…トラクタ、Ｐ…支点軸、Ｓ…棧、Ｗ…除雪機、ａ…機体、ｂ・ｃ…アクチュエータ、１…堆積場所、１０…仕切壁、１１…隔壁、２０…ロワーリンク、２１…トップリンク、２２…ＰＴＯ軸、２３…ユニバーサルジョイント軸、３…機体フレーム、４…オーガー、４０…ドラム、４１…右オーガー、４２…左オーガー、４３…回転軸、４４…チェンケース、４５…伝導機構、５…伝導機構部、５０…出力軸、５１…入力軸、６…ガイド壁、６０…送出口、７…ブロワー装置、７０…ケーシング、７１…回転軸、７２…跳出翼、７３…跳揚機構、７４…吐出筒部、７５…放出シュート、７６…接続鍔部、７７…ディフレクタ、８…掻き落とし装置、８０…筒体、８１…掻き落とし歯、８２…回転軸、８３・８４…伝導機構、９…昇降機構、９０…支持フレーム、９１…シリンダ装置。
【図１】
2004352585.tif 000003
【図２】
2004352585.tif 000004
【図３】
2004352585.tif 000005
【図４】
2004352585.tif 000006
【図５】
2004352585.tif 000007
【図６】
2004352585.tif 000008
【図７】
2004352585.tif 000009
【図８】
2004352585.tif 000010
【図９】
2004352585.tif 000011
【図１０】
2004352585.tif 000012
【図１１】
2004352585.tif 000013
【図１２】
2004352585.tif 000014
【図１３】
2004352585.tif 000015
【図１４】
2004352585.tif 000016
【図１５】
2004352585.tif 000017
【図１６】
2004352585.tif 000018
【図１７】
2004352585.tif 000019
【図１８】
2004352585.tif 000020
【図１９】
2004352585.tif 000021